(57)【特許請求の範囲】
【請求項１】
既設ＰＣ構造物におけるＰＣ緊張材挿通シースの傾斜部分又は鉛直部分に位置するグラウト未充填空洞内に再注入用グラウトを再注入するに際し、
排気用チューブを前記グラウト未充填空洞内に挿入し、その先端を該グラウト未充填空洞上端部まで到達させ、
該排気用チューブを排気孔として前記グラウト未充填空洞の下端側から片押し注入により再注入用グラウトを注入するＰＣ緊張材挿通用シース内のグラウト未充填空洞へのグラウト再注入方法において、
前記排気用チューブ内に、２種金属線を絶縁被覆したリード部を有し、該リード部の先端に前記２種金属線を接続した感知部を備えた熱電対を、前記排気用チューブ内面との間に通気用空隙を残して挿入して該熱電対の先端の感知部を前記排気用チューブの先端に位置させ、
前記熱電対が再注入用グラウトを感知することによってグラウト未充填空洞上端のグラウト充填を確認するＰＣ緊張材挿通用シース内のグラウト未充填空洞へのグラウト再注入方法。
【請求項２】
前記排気用チューブは内面を円形断面とするとともに前記熱電対の絶縁被覆は外面を円形に比べて扁平な形状とし、該熱電対の絶縁被覆外周面と前記排気用チューブの円形断面の内周面との間に隙間を持たせることによって通気用空隙を形成する請求項１に記載のＰＣ緊張材挿通用シース内のグラウト未充填空洞へのグラウト再注入方法。
【発明の詳細な説明】
【技術分野】
【０００１】
本発明は、既設のプレストレストコンクリート（以下ＰＣと記す）構造物におけるシースの定着側端部やその他の傾斜又は鉛直部分に存在している空洞内に再注入用グラウトを注入するＰＣ緊張材挿通用シース内のグラウト未充填空洞へのグラウト再注入方法に関する。
【背景技術】
【０００２】
近年、ポストテンション方式のＰＣ桁に使用されているＰＣ緊張材挿通用シースの緊張材定着部側端部やその他の部分に空洞が存在しており、その内部の腐食が問題視されるに至っている。
【０００３】
特に高架道路のＰＣ桁においては、ＰＣ緊張材定着部が舗装の下にあって斜め上向きに備えられている箇所があり、塩化ナトリウム、塩化カルシウム、塩化マグネシウム等凍結防止剤の散布が盛んに行われている個所では、これらの凍結防止剤が水とともに舗装内に浸透し、ＰＣ緊張材定着部を通してシース内に入り、ＰＣ緊張材を腐食させる事態が発生している。
【０００４】
この他シース内のグラウト未充填空洞は、何らかの要因によってシースが潰れ、グラウトの流動が阻害されたり、シースが上下に波打つ形状に配置されている場合に、高流動性のグラウトの先流れ現象が生じたりした場合にも発生する。
【０００５】
このため近年において、このＰＣ緊張材挿通用シース内にできている空洞内に、グラウトを再注入する方法として、空洞の上端側に排気ホースを挿入し、下端側から再注入用グラウトを圧入する方法（例えば特許文献１，非特許文献１）が提案されている。
【先行技術文献】
【特許文献】
【０００６】
【特許文献１】特開２００５−２３６９３号公報
【非特許文献】
【０００７】
【非特許文献１】平成１４年８月３０日、財団法人鉄道総合研究所発行「ＰＣグラウトの再注入等補修マニュアル（案）」
【発明の概要】
【発明が解決しようとする課題】
【０００８】
しかし、上述した排気ホースを使用して再注入用グラウト注入時における空洞内の空気を排気させる方法では、新設時と比較して、グラウト未充填空洞の端部に排気孔を設けることが困難である。
【０００９】
また、既往の技術としての非特許文献１である「ＰＣグラウトの再注入等補修マニュアル（案）」に示されている技術では、内径４ｍｍ 外径６ｍｍ のナイロンチューブをシース内のグラウト未充填空洞に挿入して排気孔とし、このチューブ先端までグラウトが充填されるようにしている。
【００１０】
また、このチューブをグラウト排出孔として用いることで実際にチューブ先端までグラウトが充填されたことを目視で確認するものとしている。
【００１１】
しかし、実際のＰＣ 鋼材は腐食膨張や新設時のグラウトの付着などで、シース内部の空隙率が小さくなっていることや、例えばＰＣ 鋼棒を使用したＰＣ構造物では、建設当時の旧基準に従い、シース内径は、ＰＣ鋼棒の直径＋６ｍｍとなっており、定着部付近では、ＰＣ鋼棒がシースの中心部分にあるため、ＰＣ鋼棒とシース内面との隙間は３ｍｍしかなく、前述した排気孔としてのチューブは挿入できない。
【００１２】
しかも、グラウト未充填空洞下部からの片押し方式によるグラウト再注入では、注入されたグラウトがチューブ内より流れ出るためには、内径４ｍｍが限界であり、それより細径のチューブではグラウトがチューブ内を流れないため、充填確認ができないという問題があった。
【００１３】
また、ＰＣ鋼線束やＰＣストランドを使用したＰＣ構造物では、緊張材定着部に近接した部分におけるＰＣ鋼線間の隙間が小さいことが多い。
【００１４】
しかも、錆が発生しているような場合には、従来の外径が６ｍｍのチューブではその先端が空洞の上端にまで達しないことが多く、それより高い位置にグラウト未充填空洞（分空気溜り）が残るという問題がある。
【００１５】
一般に、ＰＣ構造物の構築に際してのグラウト充填確認技術としては、グラウトの充填が困難と予想される位置に予めシース外側や内側に、熱電対や微振動センサ、光ファイバー等のセンサを設置しておき、その位置グラウト充填確認を行う方法などがあるが、いずれもグラウト未充填部端部にセンサを設置することは困難であり、解決方法とならない。
【００１６】
更に、新設時においては、シース内空隙率と注入延長より注入予定数量を予め算出しておき、流量計を用いて、設計数量と注入数量を比較することにより充填確認するという方法があるが、設計数量の把握が困難な再注入では採用出来ない。
【００１７】
本発明は、上述の如き従来の状況に鑑み、ＰＣ緊張材の定着端部付近に発生しているグラウト未充填空洞のように、隙間が小さい箇所であっても、十分なグラウト再注入が可能であり、また、再注入用グラウトの充填状況が外部から容易に確認できるＰＣ緊張材挿通用シース内のグラウト未充填空洞へのグラウト再注入方法の提供を目的としてなされたものである。
【課題を解決するための手段】
【００１８】
請求項１に記載の発明の特徴は、既設ＰＣ構造物におけるＰＣ緊張材挿通シースの傾斜部分又は鉛直部分に位置するグラウト未充填空洞内に再注入用グラウトを再注入するに際し、排気用チューブを前記グラウト未充填空洞内に挿入し、その先端を該グラウト未充填空洞上端部まで到達させ、該排気用チューブを排気孔として前記グラウト未充填空洞の下端側から片押し注入により再注入用グラウトを注入するＰＣ緊張材挿通用シース内のグラウト未充填空洞へのグラウト再注入方法において、前記排気用チューブ内に、２種金属線を絶縁被覆したリード部を有し、該リード部の先端に前記２種金属線を接続した感知部を備えた熱電対を、前記排気用チューブ内面との間に通気用空隙を残して挿入して該熱電対の先端の感知部を前記排気用チューブの先端に位置させ、前記熱電対が再注入用グラウトを感知することによってグラウト未充填空洞上端のグラウト充填を確認することにある。
【００１９】
請求項２に記載の発明の特徴は、請求項１の構成に加え、前記排気用チューブは内面を円形断面とするとともに前記熱電対の絶縁被覆は外面を円形に比べて扁平な形状とし、該熱電対の絶縁被覆外周面と前記排気用チューブの円形断面の内周面との間に隙間を持たせることによって通気用空隙を形成することにある。
【発明の効果】
【００２０】
本発明は、請求項１に記載のように、既設ＰＣ構造物におけるＰＣ緊張材挿通シースの傾斜部分又は鉛直部分に位置するグラウト未充填空洞内に再注入用グラウトを再注入するに際し、排気用チューブを前記グラウト未充填空洞内に挿入し、その先端を該グラウト未充填空洞上端部まで到達させ、該排気用チューブを排気孔として前記グラウト未充填空洞の下端側から片押し注入により再注入用グラウトを注入さすＰＣ緊張材挿通用シース内のグラウト未充填空洞へのグラウト再注入方法において、前記排気用チューブ内に、２種金属線を絶縁被覆したリード部を有し、該リード部の先端に前記２種金属線を接続した感知部を備えた熱電対を、前記排気用チューブ内面との間に通気用空隙を残して挿入し、該熱電対の先端の感知部を前記排気用チューブの先端に位置させ、前記熱電対が再注入用グラウトを感知することにより、グラウト未充填空洞の下端側からの片押し注入の際の内部の排気が、グラウト未充填空洞上端部に到るまでなされ、空洞内の再注入用グラウト充填率をより完全なものとすることができ、且つ、再注入用グラウト検出用の熱電対によって再注入用グラウトを感知させるものであるため、空洞上端部への再注入用グラウト充填が簡単かつ確実に検知できる。
【００２１】
更に、排気用チューブは、従来の方法のように、充填された再注入用グラウトの流出を目視するのではなく、空洞内の排気が確保できれば良いものであるため、内径が１ｍｍ以下といった細径のもものを使用することができ、このため、ＰＣ鋼棒を使用したＰＣ構造物のようにシースとＰＣ緊張材との隙間が小さい場合や、ＰＣ鋼線又はＰＣ鋼撚線の束を使用したＰＣ構造物の定着部付近のように、ＰＣ緊張材が密集していて、隙間が小さい場合であっても、グラウト未充填空洞の上端まで到達させることが可能な細さのものを使用でき、より完全な再注入用グラウトの充填が可能となる。
【００２２】
本発明は、再注入用グラウト検出用センサとして熱電対を使用することにより、熱電対自体に細径のものを使用でき、排気用チューブの外径をより小さくでき、空洞上端部への挿入が容易となる。
【図面の簡単な説明】
【００２３】
【図１】本発明を実施するグラウト未充填空洞の一例の縦断側面図である。
【図２】図1におけるＡ−Ａ線部分のシース内を示す断面図である。
【図３】本発明方法におけるグラウト再注入用ホース及び細径チューブを取り付けた状態の部分拡大断面図である。
【図４】本発明に使用する熱電対を挿入した排気用チューブの先端部分を示すもので、（ａ）は縦断側面図、（ｂ）は縦断正面図である。
【図５】本発明におけるグラウト再注入状態を示す縦断正面図である。
【図６】図５に示すグラウト再注入においてグラウト未充填空洞最上部まで充填された状態を示す縦断面図である。
【図７】本発明を実施する他のシース内空洞例を示す部分断面図である。
【図８】本発明を実施する更に他のシース内空洞の例を示す部分断面図である。
【発明を実施するための形態】
【００２４】
次に、本発明の実施の態様を、ＰＣ鋼線束を使用したＰＣ構造物において、ＰＣ緊張材定着部の下側に形成されたグラウト未充填空洞へのグラウト再注入方法について説明する。
【００２５】
図において符号１はＰＣ桁、２はその上の造成した舗装である。ＰＣ桁１には、その上面にＰＣ緊張材定着部３が備えられ、ＰＣ緊張材定着部３には、ＰＣ桁１に埋め込んだ雌コーン４と、その内部にテーパー穴に嵌り合う雄コーン５を有し、両コーン４，５によってＰＣ緊張材６の端部が、緊張状態を維持させて定着されている。
【００２６】
この例では、ＰＣ緊張材６として複数本の単線７を束状にしたものを使用しており、各単線７を両コーン４，５間に挟み込むことにより定着している。
【００２７】
ＰＣ緊張材定着部３は、ＰＣ桁１の表面に形成した凹部８内に備えられ、ＰＣ緊張材６を緊張定着した後に、グラウト作業と後処理を行い、定着部保護コンクリート９を打設して凹部８を埋めることによりＰＣ緊張材定着部３を保護している。
【００２８】
ＰＣ緊張材定着部３の雌コーン４にはシース１０が連結され、このシース１０内にＰＣ緊張材６が挿通されている。シース１０は、ＰＣ緊張材定着部３に近い位置では斜め下向きとなっており、このＰＣ緊張材定着部３下のグラウト未充填空洞１２が、この例においてグラウト再注入の対象としている空洞である。
【００２９】
この空洞１２へのグラウト再注入作業の前工程として、ＰＣ桁１のフランジ部に近い位置の側面及びグラウト未充填空洞１２の下端に近い部分のコンクリートをはつり、それらの部分のシース１０を露出させる。
【００３０】
次いで、グラウト未充填空洞１２の下端側のシース１０にホース挿入孔１５を開けるとともに、上側のはつり部分のシース１０に排気用チューブ挿入孔１６を開ける。
【００３１】
尚、図には示してないが、グラウト未充填空洞１２の長さが短い場合には、グラウト未充填空洞１２の下端に近い部分のみをはつり、この部分に前記ホース挿入孔１５と排気用チューブ挿入孔２０を上下に間隔を隔てて開ける。
【００３２】
このように開けられたホース挿入孔１５には、グラウト再注入用ホース１６を挿入し、その挿入部分を密閉する。
【００３３】
また、排気用チューブ挿入孔２０には、排気用チューブ２１を挿入する。この排気用チューブ２１には、その中空内部に線状の熱電対２３からなる再注入用グラウト検出用センサを挿入しておく。熱電対２３は、先端の感知側端部２３ａを、中空筒状の排気用チューブ２１の先端に位置させ、２種の金属線ａ，ｂを絶縁被覆したリード部２３ｂを、排気用チューブ２１内を通して外部に導出し、温度表示器２５に接続して排気用チューブ２１先端の温度を表示させるようにしている。
【００３４】
また、図４に示すように排気用チューブ２２は内面を円形断面とするとともに、熱電対２３の絶縁被覆は外面を円形に比べて扁平な形状である楕円形とし、該楕円形の短径側外周面と前記排気用チューブの円形断面の内周面との間に隙間２４を持たせることによって通気用空隙を形成している。
【００３５】
排気用チューブ２１としては、外径が３ｍｍ未満のものであって、先端をグラウト未充填空洞１２の上端まで挿入する際に座屈しないだけの弾性を有するものを使用する。その一例として、仁礼工業株式会社製の曲げ弾性率４．２ＧＰａのプラスチックチューブであるポリエーテルケトン（商標）を使用することができる。
【００３６】
この排気用チューブ２１の外径が３ｍｍ未満であるのは、既設のＰＣ構造物のシース内径とＰＣ鋼棒外径との差が、最も小さい６ｍｍである場合において、ＰＣ鋼棒がシース中央に位置していた場合であって、シース内面やＰＣ鋼棒外面に錆が発生していた場合であっても、スムーズに挿入出来るものとする必要からである。
【００３７】
このように構成される排気用チューブ２１の先端を、ＰＣ緊張材定着部３、即ちグラウト未充填空洞１２の上端まで挿入し、その状態で排気用チューブ挿入孔２０と排気用チューブ２１との間を密閉する。
【００３８】
このようにしてグラウト未充填空洞１２の上端からの排気が排気用チューブ２１を通して可能な状態とする。尚、排気用チューブ２１の挿入時に先端開口につまりが生じる可能性があるため、グラウト再注入に先立って排気用チューブ２１の外側端部より圧力空気を吹き込み、先端開口の通気性を確保させる。
【００３９】
このようにして排気用チューブ２１をセットした状態で、再注入用グラウトを自然流下により注入させる。この自然流下によるグラウト再注入には、鉛直管からなるグラウト注入用容器１７を使用する。
【００４０】
このグラウト注入用容器１７の下端にグラウト再注入用ホース１６の該方側端部を連結し、該グラウト注入用容器１７内に収容した再注入用グラウト１８を自然流下させることにより空洞１２内に注入する。
【００４１】
この時、グラウト注入用容器１７を、その内部の液面１８ａを目視できる透明なものとし、その液面１８ａの高さを空洞１２内に注入された再注入用グラウト１８の液面１８ｂより、所定の高さだけ高くなるように調整する。これは、図５に示すように、両液面１８ａと１８ｂとの水頭差ｈによって自然流下させるものであり、再注入当初は、グラウト注入用容器内液面１８ａの高さがホース挿入孔１５の高さよりやや高い位置として注入を開始する。
【００４２】
グラウト注入用容器内液面１８ａの降下が停止するか又は降下速度が一定以下になったとき、グラウト注入用容器１７を上方に移動させるか、該容器１７内に所定量の再注入用グラウト１８を追加し、空洞内液面１８ｂとの水頭差ｈを大きくする。このようにしてグラウト注入用容器１７からの単位時間当たりの注入量を調整することによって再注入用グラウト１８の注入速度を調整する。
【００４３】
この他、グラウト注入用容器１７内への単位時間当たりの再注入用グラウト追加量を調整することによって注入速度を調整してもよく、例えば、１分間毎に再注入用グラウトを追加することとし、その追加量を１００ｃｃずつ、あるいは２００ｃｃずつといったように変化させるようにしてもよい。
【００４４】
このようにゆっくりとグラウト再注入作業を継続させることにより、グラウト未充填空洞１２内の再注入用グラウト内に空気を巻き込ませることなく、またＰＣ緊張材の鋼線束内の空洞の空気を残存させることなく上昇させることができる。
【００４５】
そして、図６に示すように、グラウト未充填空洞１２の上端部まで充填されると、排気用チューブ２１の上端の熱電対２３が、充填された再注入用グラウトに接触することによってその温度変化を感知し、温度表示器２５に表示され、これによってグラウト未充填空洞１２の上端までの再注入用グラウト充填完了が確認できる。
【００４６】
尚、この例では、自然流下による片押し注入を行う場合を示しているが、この他、手押しポンプやその他の圧入手段を使用して片押し注入によるグラウト再注入作業を行ってもよい。
【００４７】
また、上述の実施例は、傾斜したＰＣ緊張材挿通シース内の空洞の上端が、ＰＣ緊張材着部である場合について説明したが、この他、ＰＣ緊張材挿通シースが鉛直方向に向けられている縦向きのＰＣ緊張材定着部下の空洞や、図７に示すようにＰＣ緊張材挿通用シース１０が上下に波打つ形状に配置されている場合においてグラウトの先流れによって生じる傾斜部の空洞１２ａ、図８に示すように、ＰＣ緊張材挿通用シース１０に潰れが生じることによって形成される傾斜した部分の空洞１２ｂに対しても実施することができる。
【符号の説明】
【００４８】
１ ＰＣ桁
２ 舗装
３ ＰＣ緊張材定着部
４ 雌コーン
５ 雄コーン
６ ＰＣ緊張材
７ 単線
８ 凹部
９ 定着部保護コンクリート
１０ ＰＣ緊張材挿通用シース
１１ グラウト
１２，１２ａ，１２ｂ 空洞
１５ ホース挿入孔
１６ グラウト再注入用ホース
１７ グラウト注入用容器
１８ 再注入用グラウト
１８ａ グラウト注入用容器内液面
１８ｂ 空洞内液面
２０ 排気用チューブ挿入孔
２１ 排気用チューブ
２２ チューブ本体
２３ 熱電対
ａ，ｂ 金属線
２３ａ 感知側端部
２３ｂ リード部
２４ 空隙
２５ 温度表示器
ｈ 水頭差
【図１】
0005633852.tif 000002
【図２】
0005633852.tif 000003
【図３】
0005633852.tif 000004
【図４】
0005633852.tif 000005
【図５】
0005633852.tif 000006
【図６】
0005633852.tif 000007
【図７】
0005633852.tif 000008
【図８】
0005633852.tif 000009